(57)【特許請求の範囲】
【請求項１】
洗浄室を有すると共に、その洗浄室に対して食器を出し入れするための開口部を有し、且つその洗浄室に収容された食器を洗浄する洗浄機構を有する本体と、
この本体に第１と第２とに分けてそれぞれ開閉動可能に取付けられ、その両方にて前記開口部を閉鎖する扉と、
この両扉のうち第２の扉を開放方向に付勢する付勢手段を有し、第１の扉の開閉動に第２の扉を連動させて該第２の扉を開閉させる連動機構と、
前記第２の扉の開閉動に抵抗を与えてその開閉速度を緩める抵抗付与手段とを具備し、
その抵抗付与手段を、第２の扉が閉鎖する方向に動いているときよりも開放する方向に動いているときの方が大きな抵抗力を与えるものとしたことを特徴とする食器洗浄機。
【発明の詳細な説明】
【０００１】
【発明の属する技術分野】
本発明は扉を複数に分けて有する食器洗浄機に関する。
【０００２】
【従来の技術】
従来より、食器洗浄機においては、扉を複数に分けて有するものが供されている。図１２はその一例を示しており、本体１の前面部に、扉２が下扉２ａと上扉２ｂとに分けて設けられている。そして、それらに関しては、図１３に示すように、それらが上方に折り畳まれて開放されるものと、図１４に示すように、下方と上方とに分かれて回動されて開放されるものとが供されている。
【０００３】
【発明が解決しようとする課題】
上記従来のもののうち、前者の、下扉２ａと上扉２ｂとが上方に折り畳まれて開放されるものでは、上扉２ｂに対して折り畳まれた下扉２ａがぐらつき、よって開放状態の安定性に欠けるという問題点を有していた。
【０００４】
一方、後者の、下扉２ａと上扉２ｂとが下方と上方とに分かれて回動されて開放されるものでは、下扉２ａと上扉２ｂとを別々に開閉操作する必要がある。しかも、その場合、下扉２ａに設けられたフック３により、該下扉２ａが閉鎖状態に保持（ロック）されると共に、上扉２ｂも閉鎖状態に保持されるようになっており、そのため、上扉２ｂを開放させるには、先にフック３を外して下扉２ａを開放させる必要があり、すなわち、下扉２ａを開放させてから次に上扉２ｂを開放させるという順序を経る必要があって、操作が実に面倒であるという欠点を有していた。
【０００５】
本発明は上述の事情に鑑みてなされたものであり、従ってその目的は、主として、扉の開放状態の安定性を良くできる上に、２枚の扉を別々に、しかも順を追って操作するような面倒もなく開閉操作できるようにし、併せて、開放される扉からの水滴の飛散等に悩まされることもないようにし得る食器洗浄機を提供するにある。
【０００６】
【課題を解決するための手段】
上記目的を達成するために、本発明の食器洗浄機は、洗浄室を有すると共に、その洗浄室に対して食器を出し入れするための開口部を有し、且つその洗浄室に収容された食器を洗浄する洗浄機構を有する本体と、この本体に第１と第２とに分けてそれぞれ開閉動可能に取付けられ、その両方にて前記開口部を閉鎖する扉と、この両扉のうち第２の扉を開放方向に付勢する付勢手段を有し、第１の扉の開閉動に第２の扉を連動させて該第２の扉を開閉させる連動機構と、前記第２の扉の開閉動に抵抗を与えてその開閉速度を緩める抵抗付与手段とを具備し、その抵抗付与手段を、第２の扉が閉鎖する方向に動いているときよりも開放する方向に動いているときの方が大きな抵抗力を与えるものとしたことを特徴とする（請求項１の発明）。
【０００７】
このものによれば、第１及び第２の扉は、ともに本体に取付けられているため、開放状態でもともに本体に支持され、安定性を良くできる。そして、連動機構により、第１の扉の開閉に第２の扉を連動させて該第２の扉を開閉させるため、その開閉操作は第１の扉に対してのみ行えば良く、２枚の扉を別々に、しかも順を追って操作する面倒をなくし得る。
【０００８】
そして、このものの場合、使用者により開閉操作される第１の扉が使用者の意識のもとに開閉されるのに対して、それに連動する第２の扉は、それに従動するだけとなり、開放方向には付勢手段による付勢力が加わる。その結果、例えば第２の扉の内面に付着した水滴が該第２の扉の開放による遠心力によって飛散し、これに悩まされるようになることが考えられる。しかし、それに対しては、抵抗付与手段により第２の扉の開閉動に抵抗を与えてその開閉速度を緩め得るから、開放された該第２の扉から遠心力で水滴が飛散することのないようにし得る。
又、抵抗付与手段は、第２の扉が閉鎖する方向に動いているときよりも開放する方向に動いているときの方が大きな抵抗力を与えるものであるから、上述の水滴の飛散等が考えられる第２の扉の開放する方向の速度を大きく緩めて、水滴が一層飛散することのないようにできる。
【００１３】
【発明の実施の形態】
以下、本発明の基本構成につき、図１ないし図９を参照して説明する。
まず、図２には、食器洗浄機の本体１１と、これの前面部に設けた第１の扉１２及び第２の扉１３から成る扉１４、及び操作パネル１５を示している。
このうち、本体１１は、外箱１６を外殻とし、これの内部に図３に示す内箱１７を配設して、該内箱１７の内部を洗浄室１８としている。この洗浄室１８は前面が開口しており、その開口部１９を前記第１の扉１２及び第２の扉１３の両方で閉鎖するようにしている。
【００１４】
洗浄室１８内には、底部に例えばシーズ線から成るヒータ２０を配設しており、これの上方に、噴射体としての噴水アーム２１を、パイプ状のアーム支え２２により回転可能に接続支持して配設している。更に、洗浄室１８内の噴水アーム２１より上方の部分には、食器かご２３を配設している。
【００１５】
この食器かご２３は、底部の左右両側にそり２４を有しており、このそり２４が洗浄室１８内両側のレール２５上を摺動する引出し方式にて、開口部１９から出し入れされるようにしている。又、この食器かご２３は洗浄すべき食器（図示せず）を配列するものであり、従って、食器は該食器かご２３と共に開口部１９から洗浄室１８に対して出し入れされるようになっている。
【００１６】
洗浄室１８の背部（内箱１７の背部）には給水弁２６を取付けており、この給水弁２６には図示しない水道に通じる給水管２７を接続している。従って、洗浄室１８内には、水道水が洗浄水として給水管２７から給水弁２６を通じて供給されるようになっている。
【００１７】
洗浄室１８の外下部（内箱１７の外下部）には、洗浄ポンプ２８と、排水ポンプ２９、及びこれらを駆動する共通のポンプモータ３０を配設している。ポンプモータ３０は、例えば時計回りの正転及び反時計回りの逆転の両方向に回転可能で、その正転により洗浄ポンプ２８を駆動し（このとき、排水ポンプ２９は機能しない）、逆転によって排水ポンプ２９を駆動する（このとき、洗浄ポンプ２８は機能しない）ものである。
【００１８】
このほか、洗浄室１８の外下部には、洗浄室１８内と連通する貯水タンク３１を設けると共に、この貯水タンク３１と洗浄ポンプ２８の吸込口とを接続する接続管３２、及び貯水タンク３１と排水ポンプ２９の吸込口とを接続する接続管３３を設けている。又、洗浄ポンプ２８の吐出口は前記アーム支え２２に接続し、ひいては該アーム支え２２が連通した噴水アーム２１に接続しており、排水ポンプ２９の吐出口には排水ホース３４を接続している。
【００１９】
この構成で、洗浄ポンプ２８は、前記給水弁２６により供給されて貯水タンク３１内から洗浄室１８内の下部に貯留された洗浄水を、貯水タンク３１内から接続管３２を通じて吸入し、アーム支え２２を通じて噴水アーム２１に圧送する。この圧送された洗浄水は、噴水アーム２１が上部に有する複数の噴水口２１ａからそれぞれ噴出されるものであり、その噴水の反動によって噴水アーム２１は回転もする。
【００２０】
かくして、洗浄水が、洗浄室１８内に食器かご２３を介して収容配置された食器に向けて満遍なく噴射され、該食器の洗浄、すすぎが行われる。従って、洗浄ポンプ２８と噴水アーム２１は、洗浄室１８内に収容された食器を洗浄する洗浄機構３５を構成するものである。
一方、排水ポンプ２９は、洗浄室１８内の洗浄水を、貯水タンク３１内から接続管３３を通じて吸入し、そして、排水ホース３４を通じて機外に排出するようになっている。
【００２１】
なお、洗浄室１８の背部には送風装置３６を設けており、この送風装置３６は、前記食器の洗浄、すすぎが行われた後の乾燥時に、外気を吸入し、それをダクト３７を通じて洗浄室１８の下部から内部に送り込むようになっている。又、その乾燥時には洗浄室１８内の空気が、前記洗浄、すすぎ時には洗浄室１８内の洗浄水が、それぞれ前記ヒータ２０によって加熱され、それぞれ温風化、温水化されるようになっている。
【００２２】
更に、洗浄室１８の背部の下部には水位検知装置３８を設けており、この水位検知装置３８は、図示しない接続管により貯水タンク３１内と連通し、ひいてはその貯水タンク３１が連通した洗浄室１８内と連通していて、洗浄室１８内の前記洗浄水の水位を検知するようになっている。
【００２３】
なお、前記操作パネル１５は、以上の本体１１における動作について使用者が必要な操作をするためのもので、外箱２１前面の開口部１９下方の部分に装着しており、図２に示すように各種操作キー３９を有している。又、この操作パネル１５の裏側には、図３に示すように、例えばマイクロコンピュータから成る制御装置４０を配設しており、この制御装置４０によって、上記操作パネル１５の操作に基づく本体１１の動作を制御するようにしている。
【００２４】
さて、以上のような本体１１に対して、第１の扉１２及び第２の扉１３は、この場合、上下に分けていて、第１の扉１２を下側（下扉）とし、第２の扉１３を上側（上扉）としている。
そのうち、第１の扉１２は、下辺部の左右両端部をそれぞれ軸４１（一方のみ図示）によって本体１１に上下に回動可能に取付けており、この構成で、該第１の扉１２は、軸４１を中心に図４に示すごとく下方へ回動して開放されるようになっている。従って、この場合、第１の扉１２の軸４１を中心とした回動は、該第１の扉１２の開閉動である。
【００２５】
一方、第２の扉１３は、図５及び図６に示すように、上辺部の内部に取付ベース４２を複数のねじ４３によって取付けている。この取付ベース４２は金属板製で、左右の両側部にそれぞれ被支持片４４，４５を例えば切起こしにより形成しており、この被支持片４４，４５には、図７に示すように、それぞれ円形の軸支孔４６，４７を形成している。又、そのうちの外側（図７中右側）の被支持片４５には、上部にストッパ４８を形成しており、内側（同図中左側）の被支持片４４の下方部にはばね掛け孔４９を形成し、そのほか、取付ベース４２にはいくつかの取付孔（符号省略）を形成している。
【００２６】
これに対して、本体１１の内箱１７上の左右両側部には、扉支持板５０をそれぞれねじ５１によって取付けるようにしており、この扉支持板５０は、前部にほゞ円弧状に湾曲した軸支部５２を有し、この軸支部５２の先端部の左右両側に支持片５３，５４を形成している。又、そのうち内側の支持片５３には円形の軸支孔５５を形成しており、外側の支持片５４には非円形の軸支孔５６を形成している。
【００２７】
しかして、前記取付ベース４２の外側の被支持片４５には、上記扉支持板５０の外側の支持片５４を内側で合わせ、扉支持板５０の内側の支持片５３と取付ベース４２の内側の被支持片４４との間に捩りコイルばね５７を位置させている。その上で、取付ベース４２の内側の被支持片４４の軸支孔４６から、捩りコイルばね５７、扉支持板５０の内側の支持片５３の軸支孔５５、扉支持板５０の外側の支持片５４の軸支孔５６、及び取付ベース４２の外側の被支持片４５の軸支孔４７にそれぞれ１本の軸５８を挿通している。
【００２８】
ここで、軸５８は両端部５８ａ，５８ｂを非円形としており、その一端の非円形部５８ａを扉支持板５０の外側の支持片５４の軸支孔５６（非円形）に挿通することによって、回転不能としている。たゞし、取付ベース４２の外側の被支持片４５の軸支孔４７、及び内側の被支持片４４の軸支孔４６は、ともに円形としていることによって、軸５８に対して回転可能としており、かくして、第２の扉１３を、取付ベース４２により、軸５８を中心として上下に回動することが可能なように取付けており、その上方への回動によって該第２の扉１３が開放されるようになっている（図４参照）。従って、この場合、軸５８は第２の扉１３の開閉中心軸として機能するものであり、その軸５８を中心とした第２の扉１３の回動は、該第２の扉１３の開閉動である。
【００２９】
そして、捩りコイルばね５７は、図７に示す一端部５７ａを扉支持板５０に掛け、他端部５７ｂを取付ベース４２の前記ばね掛け孔４９に掛けており、これによって、第２の扉１３に、図５に矢印Ａで示す開放方向の回動力を付与し、もって、捩りコイルばね５７が第２の扉１３を開放方向に付勢する付勢手段として機能するようにしている。
【００３０】
取付ベース４２には又、図中右側の捩りコイルばね５７の側に位置させてダンパ５９をねじ６０により取付けている。このダンパ５９は、詳細には図８に示すように、円柱形の孔６１を有するハウジング６２と、このハウジング６２の孔６１に圧入した例えばゴムなど高摩擦部材から成る円筒形のブッシュ６３と、このブッシュ６３の内部に圧入したシャフト６４から成り、シャフト６４の、ハウジング６２外に位置した一端部に非円形の連結孔６５を有している。
【００３１】
上記シャフト６４の連結孔６５は、前記軸５８の他端の非円形部５８ｂに嵌合して係合させており、かくして、シャフト６４を軸５８と一体に回転不能とし、このシャフト６４の周りをブッシュ６３が、前記第２の扉１３の開閉に伴い、ハウジング６２と共に回動するようにしている。このシャフト６４の周りをブッシュ６３が回動するとき、シャフト６４の外周面とブッシュ６３の内周面との間には、摩擦力が働き、それによって第２の扉１３の開閉動に抵抗を与えるようになっている。従って、ダンパ５９は、第２の扉１３の開閉動に抵抗を与える抵抗付与手段として機能するものであり、中でも摩擦力により抵抗を与える摩擦ダンパを構成している。
【００３２】
なお、シャフト６４とブッシュ６３との間の摩擦力は、それらの表面の粗度や、面圧、接触面積により任意に設定ができる。
又、取付ベース４２は、それに上述の扉支持板５０、捩りコイルばね５７、軸５８、及びダンパ５９を取付けた上で、前記第２の扉１３の上辺部の内部にねじ４３によって取付けている。更に、前記扉支持板５０は、上記第２の扉１３の上辺部の内部に取付ベース４２ごと取付けた上で、前記本体１１の内箱１７上の左右両側部にねじ５１によって取付けており、その取付部分に対応して、外箱１６はその部分の直上部を、それぞれ、図２ないし図５に示すカバー６６で開閉可能に構成している。
【００３３】
そして、前記第１の扉１２と第２の扉１３との間、及び第２の扉１３の開閉中心部には、図１に示す連動機構６７を設けている。この連動機構６７は、詳細には、第１の扉１２の左右両側の回動中心部からそれぞれ裏側に突設した連結プレート６８（一方のみ図示）と、この連結プレート６８の各先端部にそれぞれ一端部を連結した引き条、この場合、ワイヤ６９と、このワイヤ６９の各途中部を摺動可能にガイドする複数個、この場合、３個ずつの滑車７０〜７２と、ワイヤ６９の各他端部をそれぞれ一端部に取付け、他端部をそれぞれ第２の扉１３に回動可能に取付けたレバー７３と、このレバー７３の各中間部に当接してこれを支持する支点部材７４と、レバー７３の各一端部をガイドするガイド部、この場合、ジグザク状の溝７５と、前記捩りコイルばね５７とから成るものである。
【００３４】
又、この場合、滑車７０〜７２と支点部材７４は、それぞれ溝７５を形成した取付板７６に取付けていて、その取付板７６を前記内箱１７の左右の両側面部に取付けている。更に、それらを覆った外箱１６には、図４に示すように、前記開口部１９の左右両側縁部に導出口７７を形成しており、この導出口７７から上記レバー７３を導出させている。
【００３５】
加えて、前記第１の扉１２の前面部の上辺部には、図２及び図３に示すように、開扉操作用の手掛部である横長状の取手７８を設けており、これに近い下方の中央部、すなわち、使用者が取手７８を持った片手で同時に操作し得る位置に、押ボタン７９を設けている。
【００３６】
この押ボタン７９は、第１の扉１２の裏面の左右両側部に図１及び図４に示すごとく設けたフック８０を操作するもので、フック８０は、第１の扉１２を閉鎖したときに、本体１１の前記開口部１９の左右両側縁部に設けたフック受孔８１に係合して該第１の扉１２を閉鎖状態に保持（ロック）するようになっており、押ボタン７９を押圧することによって、そのフック受孔８１に対するフック８０の係合、すなわち、第１の扉１２の閉鎖保持が解除されるようになっている。
【００３７】
更に、本体１１の上記フック受孔８１より奥方の位置には、フック受孔８１に対するフック８０の係合によって第１の扉１２の閉鎖、そしてその閉鎖保持を検知する検知スイッチ（図示せず）を内設したスイッチケース８２を図１に示すように設けており、食器洗浄機の運転は該検知スイッチの検知作動を条件に行うようにしている。
又、図２に示すように、第２の扉１３の上部には、前記洗浄室１８内からの排気、特には乾燥時の水蒸気の排出をするための排気口８３を設けている。
【００３８】
次に、上記構成のものの作用を述べる。
まず、第１の扉１２が上述のように閉鎖されて保持された状態では、図９に矢印Ｂで示すように、連動機構６７の連結プレート６８の先端部によりワイヤ６９が下方に引かれて、レバー７３が後方へ引かれることにより、第２の扉１３は捩りコイルばね５７の付勢力に抗して下方へ引かれ閉鎖した状態にある。又、このとき、第１の扉１２が閉鎖状態に保持されていることによって、第２の扉１３も閉鎖状態に保持されている。
【００３９】
この状態から、使用者が取手７８を手で持って、その指先で押ボタン７９を押圧操作すれば、フック８０がフック受孔８１との係合から解除されて、第１の扉１２の閉鎖保持が解除され、それを図示しない検知スイッチが検知する。
この後、使用者が取手７８を持った手で第１の扉１２を開放操作すれば、図１に矢印Ｃで示すように、連動機構６７の前記連結プレート６８によるワイヤ６９の引下げが解除され、更に、そのワイヤ５６によるレバー７３の引張りが解除されることにより、第２の扉１３が捩りコイルばね５７の付勢力によって開放される。
【００４０】
このとき、第２の扉１３は、前記扉支持板５０に回転不能に支持された軸５８の周りを、取付ベース４２の被支持片４４，４５の軸支孔４６，４７で回動して開放されるものであり、その回動にはダンパ５９のハウジング６２及びこれに圧入したブッシュ６３が伴う。そして、そのとき、上述の軸５８と共に回転不能とされたシャフト６４の外周面とブッシュ６３の内周面との間には、摩擦力が働き、それによって第２の扉１３の開放動に抵抗が与えられ、この結果、第２の扉１３の開放速度が緩められる。
【００４１】
なお、特に本構成の場合、連動機構６７は、図１に示すように、第１の扉１２の開放度に対して第２の扉１３の開放度を大きくし、具体的には、下側の第１の扉１２がほゞ水平となるまで（約９０度角）開放するのに対して、第２の扉１３を垂直に近くなるまで（約１５５度角）開放させる。ストッパ４８はそのために扉支持板５０に衝止される。又、開放した第１の扉１２に対しては、洗浄室１８内から引出した食器かご２３を載せ得るようになっている。
【００４２】
しかして、その状態から、使用者が第１の扉１２を閉鎖操作すれば、前述の図９に矢印Ｂで示したように、連動機構６７の連結プレート６８の先端部によりワイヤ６９が下方に引かれて、レバー７３が後方へ引かれることにより、第２の扉１３は捩りコイルばね５７の付勢力に抗して下方へ引かれ閉鎖する。このときにも、第２の扉１３には、ダンパ５９のシャフト６４に対するブッシュ６３の摩擦力が働き、該第２の扉１３の閉鎖動に抵抗が与えられるから、第２の扉１３の閉鎖速度が緩められる。
【００４３】
又、このとき、フック８０はフック受孔８１に係合し、第１の扉１２を閉鎖状態に保持するから、第２の扉１３も閉鎖状態に保持されるものであり、それを図示しない検知スイッチが検知する。
【００４４】
このように本構成のものでは、扉１４が第１の扉１２と第２の扉１３の２枚で構成され、その第１の扉１２と第２の扉１３を、ともに本体１１に取付けているので、開放状態でもともに本体１１に支持され、安定性を良くできる。
しかも、連動機構６７により、第１の扉１２の開閉に第２の扉１３を連動させて該第２の扉１３を開閉させるため、その開閉操作は第１の扉１２に対してのみ行えば良く、従来の２枚の扉を別々に、しかも順を追って操作するもののような面倒をなくすことができる。
【００４５】
そして、このものの場合、第１の扉１２が使用者により開閉操作されるのに対して、第２の扉１３は第１の扉１２に連動するものであるから、第１の扉１２が使用者の意識のもとに開閉されるのに対し、第２の扉１３は、それに従動するだけとなる。この結果、例えば第２の扉１３の内面に付着した水滴が該第２の扉１３の開放による遠心力によって飛散し、これに悩まされるようになることが考えられる。
【００４６】
しかし、それに対し、本構成のものにおいては、第２の扉１３の開閉動に抵抗を与える抵抗付与手段としてダンパ５９を具え、それによって第２の扉１３の開閉速度を緩め得るから、開放された該第２の扉１３から遠心力で水滴が飛散することのないようにし得る。
【００４７】
又、この場合、ダンパ５９（抵抗付与手段）は、摩擦力により第２の扉１３の開閉動に抵抗を与えるものとしており、前述のように簡単な構造で、従って安価な構造で、第２の扉１３の開閉動に必要な抵抗を与えることができる。
【００４８】
更に、ダンパ５９は、第２の扉１３の開閉中心軸である軸５８に対して設けており、その軸５８を利用して第２の扉１３の開閉動に抵抗を与え得るので、使用部品点数を少なく実現することができ、よって、安価でもあり、組立てによる性能のばらつき等も少なくできる。
【００４９】
加えて、第２の扉１３は、扉支持板５０を初め、捩りコイルばね５７、軸５８、及びダンパ５９を取付けた上で、扉支持板５０により本体１１に取付けており、それらの交換修理時には、扉支持板５０を本体１１から取外すことによって、第２の扉１３だけを単独に扱い、分解できるので、修理が容易にできる。
【００５０】
そして又、上記扉支持板５０と、捩りコイルばね５７、軸５８、及びダンパ５９は、取付ベース４２に取付けることによりユニット化し、その状態で第２の扉１３に取付けており、これによって、組立性を良くでき、機能上のばらつきも少なくできる。
【００５１】
以上に対して、図１０は参考例を示すもので、これは、前述のダンパ５９に代わる抵抗付与手段としてダンパ９１を用いるものである。
このダンパ９１は、例えば円筒形の穴９２を有するハウジング９３と、このハウジング９３の穴９２内に隙間９４を隔てて挿入したシャフト９５と、その隙間９４に充填したオイル（例えばシリコンオイル）９６と、穴９２の出入口部を密封したＯリング９７及びキャップ９８から成り、シャフト９５の、ハウジング９３外に位置した一端部に非円形の連結孔９９を有している。
【００５２】
上記シャフト９５の連結孔９９は、前記軸５８の他端の非円形部５８ｂに嵌合して係合させており、もって、シャフト９５を軸５８と一体に回転不能とし、このシャフト９５の周りをハウジング９３が、第２の扉１３の開閉に伴い、オイル９６を従えて回動するようにしている。このシャフト９５の周りをハウジング９３が回動するとき、シャフト９５とハウジング９３との間には、オイル９６の粘性による抵抗が働き、それによって第２の扉１３の開閉動に抵抗を与えるようになっている。従って、このダンパ９１は、第２の扉１３の開閉動に抵抗を与える抵抗付与手段として機能するものであり、中でもオイル９６の粘性により抵抗を与えるオイルダンパを構成している。
なお、シャフト９５とハウジング９３との間の抵抗力は、オイル９６の粘度や隙間９４の大きさにより任意に設定ができる。
【００５３】
このものでは、温度の変化や水分の付着に対して安定した抵抗力を第２の扉１３の開閉動に与えることができる。特に食器洗浄機では、最高温度が８０〔℃〕ほどの湯で食器の洗浄を行うため、ダンパ９１も最高で７０〔℃〕程度の雰囲気にさらされることになる。又、食器洗浄機に使用されるダンパ９１には、水分が付着することも考えられ、ダンパ９１がそれら温度の変化や水分の付着に対して安定した抵抗力を第２の扉１３の開閉動に与え得る効果は実用上大きい。
又、オイル９６の粘度により抵抗力の任意の設定ができるので、抵抗力の調整幅が大きく、同一の抵抗力を得る場合にコンパクトな装置を構成できる。
【００５４】
図１１は本発明の一実施例を示すもので、これは、上述のダンパ９１とも代わる抵抗付与手段としてダンパ１０１を用いるものである。
このダンパ１０１は、内部を対称的な２つの隔壁１０２により２つの室１０３に仕切った円筒形のハウジング１０４と、このハウジング１０４の２つの隔壁１０２の先端部間に回転可能に且つ液密に支承したシャフト１０５により２つの室１０３内をそれぞれ回動される２つの羽根１０６と、２つの隔壁１０２にそれぞれ室１０３から羽根１０６の一方の回転方向、この場合、時計回り方向に開通するように形成した抜口１０７にて各室１０３と連通した図示しない与圧室と、各室１０３に充填したオイル（例えばシリコンオイル）１０８から成り、シャフト１０５の、ハウジング１０４外に位置した一端部に非円形の連結孔１０９を有している。
【００５５】
上記シャフト１０５の連結孔１０９は、前記軸５８の他端の非円形部５８ｂに嵌合して係合させており、もって、シャフト１０５及び羽根１０６を軸５８と一体に回転不能とし、その羽根１０６の周りをハウジング１０４が、第２の扉１３の開閉に伴い、回動するようにしている。この羽根１０６の周りをハウジング１０４が回動するとき、各室１０３のオイル１０８は羽根１０６が位置する中を隔壁１０２によって押される。
【００５６】
この場合、ハウジング１０４の矢印Ｄで示す反時計回りの回動方向には、隔壁１０２によって押されたオイル１０８は、時計回り方向に開通した抜口１０７から図示しない与圧室に移る。一方、ハウジング１０４の矢印Ｅで示す時計回りの回動方向には、隔壁１０２によって押されたオイル１０８は、時計回り方向に開通した抜口１０７から図示しない与圧室に移されることはなく、ハウジング１０４の内周面と羽根１０６の先端面との間の微小な隙間１１０を通って室１０３内を回転方向先側に移される。
【００５７】
このため、ハウジング１０４の上記矢印Ｅで示した時計回りの回動方向には、矢印Ｄで示した反時計回りの回動方向よりも大きな抵抗力が働く。しかして、その抵抗力の大きな時計回りの回動方向を第２の扉１３の開放する方向の動作に合致させ、抵抗力の小さな反時計回りの回動方向を第２の扉１３の閉鎖する方向の動作と合致させることにより、ダンパ１０１が第２の扉１３の開閉両方向の動作に抵抗を与える抵抗付与手段として機能するものの、第２の扉が閉鎖する方向に動いているときよりも開放する方向に動いているときの方が大きな抵抗力を与えるようにしている。
【００５８】
このものでは、前述の水滴の飛散等が考えられる第２の扉１３の開放する方向の速度を大きく緩めることができ、もって、その水滴の飛散等に悩まされることが一層ないようにできる。又、第２の扉１３の閉鎖する方向については、第２の扉１３の閉鎖に要する使用者の力を小さく済ませ得、もって操作性を良くすることができる。
【００５９】
なお、このダンパ１０１の抵抗力は、オイル１０８の粘度や、抜口１０７の大きさ、ハウジング１０４と羽根１０６との間の隙間１１０の大きさ、並びに隔壁１０２及び羽根１０６のそれぞれオイル１０８を押す面積等により任意に設定ができる。
【００６０】
以上、本発明の基本構成から参考例及び一実施例を述べたが、それ以外に、第１の扉１２は下側でなく上側に位置し、第２の扉１３が下側に位置するものとしても良い。又、それらの両扉１２，１３は上下でなく、左右、もしくはそのほかの方向に分かれていても良いもので、その各方向のいずれ側が第１の扉であっても良い。更に、本体１１の開口部１９は、前面でなく、上面、もしくは前面から上面にかけて存するものであっても良い。
【００６１】
加えて、ダンパ５９，９１，１０１は、第２の扉１３の軸支部中の一方側である図中右側でなく、左側（他方側）に設けるようにしても良い。又、そのいずれか一方側だけでなく、両側に設けるようにしても良い。
洗浄機構３５も、前述の噴水方式に限られず、食器を水中に浸漬させて生成する水流により洗浄するものであっても良い。
そのほか、本発明は上記し且つ図面に示した基本構成から一実施例にのみ限定されるものではなく、要旨を逸脱しない範囲内で適宜変更して実施し得る。
【００６２】
【発明の効果】
以上説明したように、本発明の食器洗浄機によれば、扉の開放状態の安定性を良くできる上に、第１及び第２の２枚の扉を別々に、しかも順を追って操作するような面倒もなく開閉操作でき、併せて、付勢手段の付勢力を受けて開放される第２の扉からの水滴の飛散等に悩まされることもないようにできる。
【図面の簡単な説明】
【図１】    本発明の基本構成を示す、食器洗浄機全体の開扉状態の破断側面図
【図２】食器洗浄機全体の外観斜視図
【図３】食器洗浄機全体の縦断側面図
【図４】食器洗浄機全体の開扉状態の斜視図
【図５】食器洗浄機上部の破断斜視図
【図６】第２の扉の部分拡大破断斜視図
【図７】主要部分の拡大分解斜視図
【図８】ダンパ単体の拡大破断正面図
【図９】食器洗浄機全体の閉扉状態の破断側面図
【図１０】  参考例を示す、ダンパ単体の縦断正面図
【図１１】  本発明の一実施例を示す、ダンパ単体の縦断側面図
【図１２】従来例を示す図２相当図
【図１３】食器洗浄機全体の開扉状態の側面図
【図１４】異なる従来例を示す図１３相当図
【符号の説明】
１１は本体、１２は第１の扉、１３は第２の扉、１８は洗浄室、１９は開口部、３５は洗浄機構、５８は軸（第２の扉の開閉中心軸）、５９はダンパ（抵抗付与手段）、６７は連動機構、９１はダンパ（抵抗付与手段）、９６はオイル、１０１はダンパ（抵抗付与手段）を示す。
【図１】
0003912998.tif 000002
【図２】
0003912998.tif 000003
【図３】
0003912998.tif 000004
【図４】
0003912998.tif 000005
【図５】
0003912998.tif 000006
【図６】
0003912998.tif 000007
【図７】
0003912998.tif 000008
【図８】
0003912998.tif 000009
【図９】
0003912998.tif 000010
【図１０】
0003912998.tif 000011
【図１１】
0003912998.tif 000012
【図１２】
0003912998.tif 000013
【図１３】
0003912998.tif 000014
【図１４】
0003912998.tif 000015